(57)【要約】【課題】止血器具とは別体の専用の器具を使用することなく、簡単な操作で拡張部を拡張させることが可能な止血器具を提供することを目的とする。【解決手段】止血器具１０は、手首Ｗの穿刺部位Ｐに巻きつけるための帯体２０と、帯体を手首に巻きつけた状態で固定する固定手段３０と、穿刺部位Ｐを圧迫する拡張部４０と、拡張部の変形を制御する操作部６０と、を備えており、拡張部は、拡張可能な弾性部材４１と、弾性部材の内腔４１ａに弾性変形可能な状態で配置された変形部材４３と、を有しており、操作部は、変形部材の弾性変形を停止させるロック部６２を有しており、拡張部は、ロック部を解除した状態で、変形部材が弾性変形することによって拡張可能である。【選択図】図２
2018011798.tif 000002
【特許請求の範囲】
【請求項１】
肢体の止血すべき部位に巻きつけるための帯体と、
前記帯体を前記肢体に巻きつけた状態で固定する固定手段と、
前記止血すべき部位を圧迫する拡張部と、
前記拡張部の変形を制御する操作部と、を備え、
前記拡張部は、拡張可能な弾性部材と、前記弾性部材の内腔に弾性変形可能な状態で配置された変形部材と、を有し、
前記操作部は、前記変形部材の弾性変形を停止させるロック部を有し、
前記拡張部は、前記ロック部を解除した状態で、前記変形部材が弾性変形することによって拡張可能である、止血器具。
【請求項２】
前記変形部材は、前記帯体を貫通して配置されており、かつ、移動可能な状態で前記弾性部材の内外に配置されている、請求項１に記載の止血器具。
【請求項３】
前記操作部は、回転可能に構成されており、
前記ロック部は、前記操作部が回転した際、前記変形部材の弾性変形の停止を解除し、前記操作部の回転が停止した状態で前記変形部材の弾性変形を停止させる、請求項１または請求項２に記載の止血器具。
【請求項４】
前記変形部材の基端部は、当該変形部材の他の部位よりも弾性変形し難く形成されており、
前記ロック部は、前記変形部材の基端部の固定および固定解除が可能なストッパーを有する請求項１または請求項２に記載の止血器具。
【請求項５】
前記弾性部材の内腔に配置され、前記変形部材の形状を制御する制御部を有する請求項１〜４のいずれか１項に記載の止血器具。
【請求項６】
前記変形部材の一部は、前記弾性部材の内腔に巻回した状態で収容されており、
前記拡張部は、前記変形部材が前記巻回した状態から展開することにより拡張変形する、請求項１〜５のいずれか１項に記載の止血器具。
【請求項７】
前記変形部材は、弾性変形可能なバネ部材である、請求項１〜６のいずれか１項に記載の止血器具。
【発明の詳細な説明】
【技術分野】
【０００１】
本発明は、穿刺した部位を圧迫して止血するための止血器具に関する。
【背景技術】
【０００２】
近年、腕や脚等の血管を穿刺し、穿刺部位にイントロデューサーシースを導入し、イントロデューサーシースの内腔を介してカテーテル等の医療器具を病変部に送達する、経皮的な治療・検査等が行われている。このような治療・検査等を行った場合、術者は、イントロデューサーシースを抜去した後の穿刺部位を止血する必要がある。この止血を行うために、腕や脚等の肢体に巻き付けるための帯体と、帯体を肢体に巻き付けた状態で固定する固定手段と、帯体に連結されており、流体を注入することにより拡張して、穿刺部位を圧迫する拡張部と、を備えた止血器具が知られている。
【０００３】
特許文献１に記載されているように、止血器具を用いる際は、一般的に、医師や看護師が、止血器具の拡張部に連通するポートに、止血器具とは別体のシリンジ等の専用の器具を接続し、当該専用の器具を用いて拡張部に流体を注入することによって、止血器具の拡張部を拡張している。
【先行技術文献】
【特許文献】
【０００４】
【特許文献１】実願平７−７９６５号公報
【発明の概要】
【発明が解決しようとする課題】
【０００５】
上記のように、止血器具とは別体の専用の器具を使用する場合、医師や看護師は、専用の器具を持ち運ぶ手間や、専用の器具を止血器具に接続する手間が掛かる。また、医師や看護師は、専用の器具を紛失して拡張部に流体を注入できなくなったりする可能性もある。
【０００６】
本発明は、上記課題を解決するためになされたものであり、止血器具とは別体の専用の器具を使用することなく、簡単な操作で拡張部を拡張させることができる止血器具を提供することを目的とする。
【課題を解決するための手段】
【０００７】
上記目的を達成する止血器具は、肢体の止血すべき部位に巻きつけるための帯体と、前記帯体を前記肢体に巻きつけた状態で固定する固定手段と、前記止血すべき部位を圧迫する拡張部と、前記拡張部の変形を制御する操作部と、を備え、前記拡張部は、拡張可能な弾性部材と、前記弾性部材の内腔に弾性変形可能な状態で配置された変形部材と、を有し、前記操作部は、前記変形部材の弾性変形を停止させるロック部を有し、前記拡張部は、前記ロック部を解除した状態で、前記変形部材が弾性変形することによって拡張可能である。
【発明の効果】
【０００８】
上記止血器具では、操作部が備えるロック部を解除して、弾性部材の内腔で変形部材を弾性変形させることにより、拡張部を拡張させることができる。したがって、本発明によれば、止血器具とは別体の専用の器具を使用することなく、簡単な操作で拡張部を拡張させることが可能な止血器具を提供することができる。
【図面の簡単な説明】
【０００９】
【図１】実施形態に係る止血器具を示す平面図であり、図１（Ａ）は、内面側から見た止血器具の平面図、図１（Ｂ）は、外面側から見た止血器具の平面図である。
【図２】実施形態に係る止血器具を示す断面図であり、図２（Ａ）は、図１（Ａ）の２−２線に沿う断面図、図２（Ｂ）は、図２（Ａ）の破線部２Ｂ部分を拡大して示す断面図である。
【図３】実施形態に係る止血器具を手首に装着した状態を示す斜視図である。
【図４】図３の４−４線に沿う断面図であって、拡張部が収縮している様子を示す図である。
【図５】図３の４−４線に沿う断面図であって、拡張部が拡張している様子を示す図である。
【図６】変形例に係る止血器具の使用例を示す断面図であって、拡張部が収縮している様子を示す図である。
【図７】変形例に係る止血器具の使用例を示す断面図であって、拡張部が拡張している様子を示す図である。
【発明を実施するための形態】
【００１０】
以下、添付した図面を参照しながら、本発明の実施形態およびその変形例を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１〜図５を参照して、本実施形態に係る止血器具１０を説明する。図１および図２は、止血器具１０の各部の説明に供する図である。図３〜図５は、止血器具１０の使用例の説明に供する図である。
【００１２】
実施形態に係る止血器具１０は、図３および図５に示すように、治療・検査等を行うカテーテル等を血管内に挿入する目的で、手首Ｗ（「肢体」に相当）の橈骨動脈Ｒに形成された穿刺部位Ｐ（「止血すべき部位」に相当）に留置していたイントロデューサーシースを抜去した後、その穿刺部位Ｐを止血するために使用するものである。
【００１３】
止血器具１０は、図１（Ａ）および図５に示すように、手首Ｗに巻き付けるための帯体２０と、帯体２０を手首Ｗに巻き付けた状態で固定する面ファスナー３０（「固定手段」に相当）と、穿刺部位Ｐを圧迫する拡張部４０と、拡張部４０の手首Ｗ側に配置された圧迫部５０と、拡張部４０の変形を制御する操作部６０と、を有している。
【００１４】
なお、本明細書中では、帯体２０を手首Ｗに巻き付けた状態のとき、帯体２０において手首Ｗの体表面に向かい合う側の面（装着面）を「内面」（「第１面」に相当）と称し、その反対側の面を「外面」（「第２面」に相当）と称する。
【００１５】
図２（Ａ）に示すように、帯体２０は、可撓性を備える帯状の部材によって構成しているベルト２１と、ベルト２１よりも硬度の高い支持板２２と、を備えている。
【００１６】
ベルト２１は、図３および図４に示すように、手首Ｗの外周を略一周するように巻き付けられる。図２（Ａ）に示すように、ベルト２１の中央部には、支持板２２を保持する支持板保持部２１ａが形成されている。支持板保持部２１ａは、外面側（または内面側）に別個の帯状の部材が融着（熱融着、高周波融着、超音波融着等）または接着（接着剤や溶媒による接着）等の方法によって接合されることにより、二重になっており、これらの隙間に挿入された支持板２２を保持する。
【００１７】
ベルト２１の図１中の左端付近の部分の外面側には、一般にマジックテープ（登録商標）などと呼ばれる面ファスナー３０の雄側（または雌側）３１が配置されており、ベルト２１の図１中の右端付近の部分の内面側には、面ファスナー３０の雌側（または雄側）３２が配置されている。図４に示すようにベルト２１を手首Ｗに巻き付け、雄側３１および雌側３２が接合することにより、帯体２０が手首Ｗに装着される。なお、帯体２０を手首Ｗに巻き付けた状態で固定する手段は、面ファスナー３０に限らず、例えば、スナップ、ボタン、クリップ、またはベルト２１の端部を通す枠部材であってもよい。
【００１８】
ベルト２１の構成材料は、可撓性を備える材料であれば特に限定されない。そのような材料としては、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、シリコーン、ポリウレタン、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）が挙げられる。
【００１９】
また、ベルト２１は、例えば、透明、半透明、有色透明で形成することが好ましいが、不透明に形成されていてもよい。
【００２０】
支持板２２は、図２（Ａ）に示すように、ベルト２１の二重に形成された支持板保持部２１ａの間に挿入されることによりベルト２１に保持されている。支持板２２は、その少なくとも一部が内面側（装着面側）に向かって湾曲した板形状をなしている。支持板２２は、ベルト２１よりも硬質な材料で構成されており、ほぼ一定の形状を保つようになっている。
【００２１】
支持板２２は、ベルト２１の長手方向に長い形状をなしている。この支持板２２の長手方向における中央部２２ａは、ほとんど湾曲せずに平板状になっており、この中央部２２ａの両側には、それぞれ、内周側に向かって、かつ、ベルト２１の長手方向（手首Ｗの周方向）に沿って湾曲した第１湾曲部２２ｂ（図２（Ａ）の左側）および第２湾曲部２２ｃ（図２（Ｂ）の右側）が形成されている。
【００２２】
支持板２２の構成材料は、例えば、アクリル樹脂、ポリ塩化ビニル（特に硬質ポリ塩化ビニル）、ポリエチレン、ポリプロピレン、ポリブタジエンのようなポリオレフィン、ポリスチレン、ポリ−（４−メチルペンテン−１）、ポリカーボネート、ＡＢＳ樹脂、ポリメチルメタクリレート（ＰＭＭＡ）、ポリアセタール、ポリアクリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＢＴ）のようなポリエステル、ブタジエン−スチレン共重合体、芳香族または脂肪族ポリアミド、ポリテトラフルオロエチレン等のフッ素系樹脂等が挙げられる。
【００２３】
支持板２２は、例えば、透明、半透明、有色透明で形成することが好ましいが、不透明に形成されていてもよい。なお、支持板２２は、中央部２２ａのような湾曲していない部分を有さないもの、すなわち、その全長にわたり湾曲しているものであってもよい。
【００２４】
拡張部４０は、図２（Ｂ）に示すように、拡張可能な弾性部材４１と、弾性部材４１の内腔４１ａに弾性変形可能な状態で配置された変形部材４３と、を有している。本実施形態では、弾性部材４１は、変形部材４３が貫通される貫通孔４１ｂを備える袋状の部材で構成している。弾性部材４１は、帯体２０の内面（ベルト２１の内面）に連結されている。弾性部材４１と帯体２０の連結は、例えば、融着や接着により行うことができる。
【００２５】
弾性部材４１の構成は、変形部材４３の変形に伴って拡張可能であれば特に限定されない。例えば、弾性部材４１は、略矩形状の２枚のシートを重ね合わせ、周縁を接着または融着した袋状の部材によって構成してもよいし、１枚のシートを折り曲げ、縁部を接着または融着した袋状の部材によって構成してもよいし、縁部を備えない風船状の部材によって構成してもよい。また、弾性部材４１の外形形状は、特に限定されない。例えば、弾性部材４１は、拡張していない状態において、平面視した際に、円形、楕円形、多角形等の外形形状を備えていてもよい。
【００２６】
なお、弾性部材４１（拡張部４０）が１枚のシートによって構成される場合、弾性部材４１は、当該シートの外周縁を帯体２０の内面に連結することで形成してもよい。この場合、弾性部材４１は、変形部材４３が貫通される貫通孔４１ｂを備えていなくてもよい。
【００２７】
変形部材４３は、後述するように、変形部材４３の一部が帯体２０を貫通して配置されている。また、変形部材４３は、移動可能な状態で弾性部材４１の内外に配置されている。上記の「変形部材が弾性部材の内外に配置される」とは、弾性部材４１により帯体２０の内面側に形成される空間（内腔４１ａ）内外に亘って変形部材４３を配置することを意味する。例えば、本実施形態のように、弾性部材４１が閉じられた袋状の内腔４１ａを形成するように帯体２０の内側に連結される場合、変形部材４３は、弾性部材４１の内腔４１ａと当該内腔４３ａ外部とに亘って配置することができる。また、例えば、上述したように、弾性部材４１が帯体２０の内面に連結された１枚のシートによって構成される場合、変形部材４３は、帯体２０の内面と弾性部材４１とにより囲われた空間（隙間）と当該空間外部とに亘って配置することができる。
【００２８】
拡張部４０は、図２（Ａ）に示すように、支持板２２の第１湾曲部２２ｂおよび中央部２２ａの間の近辺と重なるように配置されている。このため、図５に示すように、拡張部４０を拡張させた際、ベルト２１および支持板２２により、拡張部４０の手首Ｗの体表面から離れる方向への拡張が抑制され、拡張部４０の圧迫力が手首Ｗ側に集中する。このため、穿刺部位Ｐを好適に圧迫することができる。
【００２９】
弾性部材４１の構成材料は、手首Ｗの体表面に弾性部材４１が触れても痛みが生じることのないような可撓性を備える材料であることが好ましい。例えば、軟質の樹脂材料、スポンジ状の物質、弾性材料、各種のゴム、前述した帯体２０の構成材料と同様のもの等で構成することができる。また、弾性部材４１は、内腔４１ａで変形部材４３が拡張変形した際に破れ等が生じることのない程度の厚みを有することが好ましい。
【００３０】
弾性部材４１は、例えば、透明、半透明、有色透明で形成することが可能であるが、色等が付されていてもよい。
【００３１】
圧迫部５０は、拡張部４０が拡張した際に、穿刺部位Ｐに圧迫力を付与する。また、圧迫部５０は、図５に矢印で示すように、拡張部４０により押圧されることにより、拡張部４０が穿刺部位Ｐに付与する圧迫力の方向を調整する機能も備えている。
【００３２】
圧迫部５０の構成材料は、手首Ｗの体表面に圧迫部５０が触れても痛みが生じることのないような可撓性を備える材料であることが好ましい。例えば、前述した弾性部材４１の構成材料と同様のもの、ゲル、スポンジ状の物質、綿のような繊維の集合体、これらの組み合わせ等で構成することができる。また、例えば、圧迫部５０は、例示した上記材料等を袋状の弾性部材に収容したもので構成してもよい。
【００３３】
圧迫部５０は、図２（Ｂ）に示すように、手首Ｗの体表面に触れた際の痛み等を軽減するために丸みを帯びた断面形状で形成することが好ましい。例えば、圧迫部５０は、楕円形、円形等の断面形状で形成することができる。ただし、圧迫部５０の断面形状は、これらの形状に限定されることなく、例えば、矩形、多角形等の断面形状で形成されていてもよい。また、圧迫部５０は、穿刺部位Ｐを圧迫する際に手首Ｗの体表面と接触する範囲（図３に示す橈骨動脈Ｒの延在方向と交差する方向で接触する長さ）が２ｍｍ〜３ｍｍ程度であることが好ましい。本実施形態では、手首Ｗの体表面と接触する範囲が２ｍｍ〜３ｍｍとなる楕円形状の断面形状で圧迫部５０を形成している。
【００３４】
図２（Ａ）および図２（Ｂ）に示すように、変形部材４３は、巻回された状態で弾性部材４１の内腔４１ａに収容された巻き付け部４３ｂと、弾性部材４１の貫通孔４１ｂおよび帯体２０に形成された貫通孔２０ａを貫通して、内腔４１ａから導出された延在部４３ｃと、を有している。
【００３５】
巻き付け部４３ｂは、弾性部材４１の内腔４１ａに配置された巻取部９０に巻き付けられている。巻取部９０は、弾性部材４１を貫通して帯体２０に連結された支持部材９１により、位置が固定された状態で内腔４１ａに配置されている。
【００３６】
なお、上述したように、弾性部材４１（拡張部４０）が１枚のシートによって構成される場合、拡張部４０は、当該シートの外周縁を帯体２０の内面に連結することで形成してもよい。この場合、巻取部９０は、弾性部材４１を貫通せず、帯体２０に連結された支持部材９１により、位置が固定された状態で弾性部材４１の内腔４１ａに配置されていてもよい。
【００３７】
巻取部９０は、帯体２０の長手方向（図１（Ａ）の左右方向）と交差する幅方向（図１（Ａ）の上下方向）に沿って配置された軸状の部材で構成している。巻き付け部４３ｂは、変形部材４３を弾性部材４１の内腔４１ａに向けて移動させた際、弾性部材４１の内腔４１ａでの変形部材４３の拡張が妨げられることがないように、かつ、巻取部９０から変形部材４３が脱落することのないように巻取部９０に巻き付けている。
【００３８】
変形部材４３の延在部４３ｃには、凹凸状の溝部４３ａが形成されている。溝部４３ａは図１（Ｂ）に示すように、帯体２０の長手方向（図中の左右方向）に対して斜めに交差して延びている。
【００３９】
図２（Ａ）に示すように、操作部６０は、凹凸状の溝部６２が形成された本体部６１と、手指等により把持が可能な把持部６３と、を有している。
【００４０】
帯体２０の外面側には、所定のカバー部材７０を配置している。カバー部材７０は、変形部材４３の延在部４３ｃおよび操作部６０の本体部６１を収容する収容空間７０ａと、操作部６０が挿通される挿通孔７０ｂと、を有している。操作部６０は、挿通孔７０ｂに挿通した状態で回転可能に保持されている。なお、挿通孔７０ｂに軸受（ベアリング）等を配置して、操作部６０の回転操作を円滑に行い得るようにしてもよい。
【００４１】
変形部材４３は、巻き付け部４３ｂが弾性部材４１の内腔４１ａに配置されており、弾性部材４１の内腔４１ａから導出された延在部４３ｃがカバー部材７０内に収容されている。このため、医師や装着者（患者）が不用意に変形部材４３に触れて、手指等が傷つくのを防止することができる。なお、カバー部材７０は、樹脂材料や金属材料で構成することができ、例えば、帯体２０の外面に融着や接着により連結することができる。
【００４２】
操作部６０が備える溝部６２は、変形部材４３の変形を停止させるロック部を構成している。後述するように、ロック部は、操作部６０を回転操作して、ロック部によるロックを解除する（変形部材４３を弾性部材４１の内腔４１ａに向けて移動させる）と、弾性部材４１の内腔４１ａで変形部材４３を拡張させる。
【００４３】
変形部材４３の溝部４３ａと、操作部６０の溝部６２とは、互いに噛み合うネジ溝で構成している。操作部６０が回転すると、操作部６０の溝部６２と変形部材４３の溝部４３ａとが噛み合わされた状態で変形部材４３が移動する。そのため、操作部６０を所定の方向（例えば、時計周り）に回転させると、変形部材４３の延在部４３ｃは、図２（Ａ）中の左側に送られるように移動する。変形部材４３が弾性部材４１の内腔４１ａに向けて移動すると、変形部材４３の一部は、弾性部材４１の内腔４１ａへ送られる。この操作により、図５に示すように、変形部材４３は、弾性部材４１の内腔４１ａで巻回した状態で配置されていた巻き付け部４３ｂを展開（拡張）させて、弾性部材４１を拡張させる。また、操作部６０を所定の方向（例えば、反時計周り）に回転させると、変形部材４３の延在部４３ｃは、図２（Ａ）中の右側に送られるように移動する。変形部材４３が弾性部材４１の内腔４１ａから遠ざかる方向（カバー部材７０の収容空間７０ａの方向）に移動すると、変形部材４３の一部は、弾性部材４１の内腔４１ａからカバー部材７０の収容空間７０ａへ送られる。この操作により、図４に示すように、変形部材４３は、弾性部材４１の内腔４１ａで巻き付け部４３ｂが巻回されるため、内腔４１ａで変形部材４３が収縮し、弾性部材４１が収縮する。
【００４４】
巻取部９０は、変形部材４３が拡張する前後において、変形部材４３の巻き付け部４３ｂの位置をずらすことなく、保持する。このため、変形部材４３が拡張する際の拡張の起点（展開の起点）となる位置は、変形部材４３を拡張する都度、一定の位置に定められる。したがって、止血器具１０を使用した止血処置を行う度に、拡張部４０が圧迫力を付与する位置にズレが生じるのを防止できる。
【００４５】
巻取部９０は、図５に示すように、圧迫部５０の圧迫方向（図中の矢印で示す方向）から帯体２０に向かう垂線Ｘ１上に配置することができる。このように配置することにより、変形部材４３の拡張方向を穿刺部位Ｐ側に向くように調整することができるため、圧迫部５０は、穿刺部位Ｐを好適に圧迫することが可能になる。なお、巻取部９０は、変形部材４３の変形に伴って位置ズレしないように設けられていればよく、例えば、帯体２０に一体成形した部材等で構成してもよい。
【００４６】
変形部材４３は、弾性変形可能なバネ部材で構成している。ただし、変形部材４３は、弾性部材４１の内腔４１ａで弾性変形可能に構成されている限りにおいてその構造は特に限定されない。例えば、変形部材４３は、コイルバネ、板バネ、ねじりバネ、拡張（展開）に伴って弾発力を付与する弾性部材等で構成することが可能である。また、変形部材４３は、上記のように弾性変形可能であれば、金属材料であってもよいし、樹脂材料であってもよい。また、変形部材４３は、拡張した際に、穿刺部位Ｐに対して圧迫力を好適に付与し得るようにある程度の剛性を備える材料で形成されていることが好ましい。
【００４７】
変形部材４３は、板状（帯状）の部材で構成している。変形部材４３を板状の部材で構成しているため、変形部材４３の移動に伴う巻き付け部４３ａの拡張および収縮が容易なものとなる。また、変形部材４３は、拡張および収縮が容易なものとなるように、例えば、０．３ｍｍ程度の厚みで形成することが好ましい。
【００４８】
変形部材４３の構造（形状、長さ寸法、幅寸法）等は、特に限定されず適宜変更することが可能である。同様に、変形部材４３の巻き付け部４３ｂの巻き付け量、延在部４３ｃに形成した溝部４３ａのピッチ、形状、寸法等も特に限定されず、製品仕様等に応じて適宜変更することが可能である。また同様に、操作部６０に形成された溝部６２のピッチ、形状、寸法等も特に限定されることはない。
【００４９】
なお、変形部材４３には、例えば、弾性部材４１の内腔４１ａで変形部材４３がどの程度拡張したかを確認する目印となるマーカーを設けることが可能である。マーカーは、例えば、変形部材４３の表面に色、記号、文字、数字等を付して、医師や装着者が目視により簡単に変形部材４３の拡張量を確認できるように構成されていることが好ましい。このようなマーカーを設ける場合、例えば、カバー部材７０の一部または全部を透明にして、変形部材４３に設けたマーカーを目視により確認可能に構成したり、カバー部材７０に窓部（開口部）を設けてマーカーを目視により確認可能に構成したりすることが好ましい。
【００５０】
図１（Ａ）に示すように、弾性部材４１の内腔４１ａには、変形部材４３の形状を制御する第１制御部８１ａと第２制御部８１ｂを配置している。
【００５１】
第１制御部８１ａと第２制御部８１ｂは、帯体２０の長手方向と交差する幅方向（図１（Ａ）の上下方向）に沿って、変形部材４３を挟み込むように配置されている。変形部材４３は、拡張変形する際、各制御部８１ａ、８１ｂにより、帯体２０の幅方向への拡張が制限される。このため、変形部材４３が弾性部材４１の内腔４１ａで意図しない方向に拡張されるのを防止できる。特に、本実施形態では、第１制御部８１ａと第２制御部８１ｂにより帯体２０の幅方向への変形が規制されるため、変形部材４３は穿刺部位Ｐを圧迫する方向に変形方向が規制される（図５を参照）。このため、拡張部４０は、圧迫力を付与する方向を穿刺部位Ｐ側に向けることができ、穿刺部位Ｐを好適に圧迫することが可能になる。
【００５２】
各制御部８１ａ、８１ｂは、帯体２０の幅方向において変形部材４３を挟み込むように配置された板状の部材で構成しているが、変形部材４３の拡張方向を制御可能であればその形状、構造、個数、寸法、材質等は特に限定されない。また、各制御部８１ａ、８１ｂは、例えば、弾性部材４１の内腔４１ａで位置ズレしないように、巻取部９０に固定したり、帯体２０に固定したりすることができる。
【００５３】
次に、本実施形態に係る止血器具１０の使用例について説明する。
【００５４】
止血器具１０を手首Ｗに装着する前は、図２に示すように、拡張部４０は、拡張していない状態となっている。図３に示すように、右手の手首Ｗの橈骨動脈Ｒに穿刺を行う場合、穿刺部位Ｐは、親指側へ片寄った位置にある。通常、穿刺部位Ｐにはイントロデューサーシースが留置されている。このイントロデューサーシースが留置されたままの状態の手首Ｗに帯体２０を巻き付け、拡張部４０が穿刺部位Ｐ上に重なるように拡張部４０および帯体２０を位置合わせして、面ファスナー３０の雄側３１および雌側３２を接触させて接合し、帯体２０を手首Ｗに装着する。
【００５５】
止血器具１０を手首Ｗに装着した後、図５に示すように、矢印で示す方向（例えば、時計周り）に沿って操作部６０を回転させる。操作部６０を回転させることにより、変形部材４３は、弾性部材４１の内腔４１ａで拡張して、拡張部４０を拡張させる。止血器具１０と一体的に設けられた変形部材４３により拡張部４０の拡張が行えるため、医師や看護師は、拡張部４０を拡張するための別体の専用の器具（シリンジ等）を持ち運ぶ必要がない。
【００５６】
拡張部４０を拡張させた後、穿刺部位Ｐからイントロデューサーシースを抜去する。
【００５７】
イントロデューサーシースを穿刺部位Ｐから抜去した後、医師や看護師は、止血の進行具合や経過時間に応じて、操作部６０を操作することにより、変形部材４３の拡張及び収縮を制御し、拡張部４０が穿刺部位Ｐに付与する圧迫力を調整してもよい。例えば、拡張した拡張部４０が、長時間にわたって穿刺部位Ｐおよびその周辺の血管や神経を圧迫し続けると、しびれや痛みを引き起こしたり、血管を閉塞したりすることがある。また、血管閉塞等を防ぐため、拡張部４０が拡張した後、医師や看護師は、拡張部４０を収縮させて、拡張部４０の圧迫力を低下させる操作を行うことで、穿刺部位Ｐに作用する圧迫力を経時的に低減させてもよい。この圧迫力を経時的に低減させる操作も、操作部６０により行うことが可能である。そのため、医師や看護師は、減圧操作を行うための専用の器具（シリンジ等）を持ち運ぶ手間をなくすことができる。
【００５８】
所定の時間が経過して、穿刺部位Ｐの止血が完了した後、医師や看護師は、止血器具１０を取り外す。止血器具１０は、面ファスナー３０の雄側３１および雌側３２を剥がすことによって手首Ｗから取り外される。なお、操作部６０を操作して拡張部４０を収縮させてから、医師や看護師は、止血器具１０を取り外してもよい。
【００５９】
以上のように、本実施形態に係る止血器具１０は、手首Ｗの穿刺部位Ｐに巻きつけるための帯体２０と、帯体２０を手首Ｗに巻きつけた状態で固定する固定手段３０と、穿刺部位Ｐを圧迫する拡張部４０と、拡張部４０の変形を制御する操作部６０と、を備えている。拡張部４０は、拡張可能な弾性部材４１と、弾性部材４１の内腔４１ａに弾性変形可能な状態で配置された変形部材４３と、を有している。また、操作部６０は、変形部材４３の弾性変形を停止させるロック部（溝部）６２を有している。拡張部４０は、ロック部６２を解除した状態で、変形部材４３が弾性変形することによって拡張可能である。
【００６０】
上記止血器具１０では、操作部６０が備えるロック部６２を解除して、弾性部材４１の内腔４１ａで変形部材４３を弾性変形させることにより、拡張部４０を拡張させることができる。したがって、本実施形態によれば、止血器具１０とは別体の専用の器具を使用することなく、簡単な操作で拡張部４０を拡張させることができる。
【００６１】
また、変形部材４３は、帯体２０を貫通して配置されており、かつ、移動可能な状態で弾性部材４１の内外に配置されている。このため、止血器具１０は、操作部６０を操作して変形部材４３を弾性部材４１の内外に移動させる簡単な操作により、拡張部４０を拡張および収縮させることができる。
【００６２】
また、操作部６０は、回転可能に構成されており、ロック部（溝部）６２は、操作部６０が回転した際、変形部材４３の弾性変形の停止を解除し、操作部６０の回転が停止した状態で変形部材４３の弾性変形を停止させるように構成されている。このため、止血器具１０は、操作部６０を回転操作する簡単な作業により、拡張部４０を拡張させることができる。
【００６３】
また、止血器具１０は、弾性部材４１の内腔４１ａに配置され、変形部材４３の形状を制御する第１制御部８１ａおよび第２制御部８１ｂを有している。このため、止血器具１０は、変形部材４３が弾性部材４１の内腔４１ａで意図しない方向に拡張されるのを防止することができ、穿刺部位Ｐに対して好適に圧迫力を付与することができる。
【００６４】
また、変形部材４３の一部は、弾性部材４１の内腔４１ａに巻回した状態で収容されており、拡張部４０は、変形部材４３が巻回した状態から展開することにより拡張変形する。このため、止血器具１０は、操作部６０を操作して、変形部材４３の巻回および展開を制御することにより、拡張部４０を好適に拡張および収縮させることが可能になる。
【００６５】
また、変形部材４３は、弾性変形可能なバネ部材で構成している。このため、止血器具１０は、バネ部材が弾性変形して拡張する際の拡張力を利用して拡張部４０を好適に拡張させることができる。
【００６６】
（変形例）
次に、上述した実施形態の変形例を説明する。なお、変形例の説明において前述した実施形態と同様の構成については、同一の符号を付し、その説明を省略する。
【００６７】
図６および図７には、変形例に係る止血器具１００の断面図を示している。図６は、拡張部４０が収縮している様子を示す図であり、図７は、拡張部４０が拡張している様子を示す図である。
【００６８】
変形例に係る止血器具１００は、変形部材１４３および操作部１６０の構成が前述した実施形態と相違している。
【００６９】
図６および図７に示すように、変形部材１４３の基端部１４３ｄは、当該変形部材１４３の他の部位（巻き付け部）１４３ｂよりも弾性変形し難く形成されている。また、操作部１６０が備えるロック部１６１は、変形部材１４３の基端部１４３ｄの固定および固定解除が可能なストッパーで構成している。
【００７０】
変形部材１４３の巻き付け部１４３ｂは、前述した実施形態において説明したように、弾性部材４１の内腔４１ａに弾性変形可能な状態で配置されている。巻き付け部１４３ｂは、ロック部１６１によるロックが解除された際（変形部材１４３が弾性部材４１の内腔４１ａに向けて移動した際）に、弾性部材４１の内腔４１ａで拡張する。巻き付け部１４３ｂは、例えば、表面に溝部等の凹凸が形成されていない帯状（板状）の部材で構成することが可能である。
【００７１】
変形部材１４３において弾性部材４１の内腔４１ａから導出された基端部１４３ｄは、ロック部１６１により直接的に固定がなされ、またその固定が解除可能に構成された部分である。基端部１４３ｄは、例えば、金属材料や樹脂材料などで構成された線材で構成することができる。例えば、基端部１４３ｄは、巻き付け部１４３ｂの基端に融着や接着等で取り付けてもよいし、巻き付け部１４３ｂと一体の部材で構成してもよい。
【００７２】
変形部材１４３の基端部１４３ｄには、径方向に突出した凸部１４３ｅを形成している。凸部１４３ｅは、図７に示すように、ロック部１６１のロックを解除した際に、ロック部１６１から変形部材１４３の基端部１４３ｄが抜けて出るのを防止する。凸部１４３ｅは、ロック部１６１の保持部材１６４と突き当たることにより移動が制限されて、拡張部４０の最大拡張量を規制する。なお、凸部１４３ｅは、ロック部１６１の保持部材１６４と突き当たることにより、変形部材１４３の基端部１４３ｄがロック部１６１から抜け出るのを防止し得る限りにおいて、その具体的な形状や大きさ等について特に制限はない。
【００７３】
図６に示すように、操作部１６０が備えるロック部１６１は、手指等により押圧操作がなされる押圧部材１６２と、押圧部材１６２に付勢力を付与する付勢部材１６３と、押圧部材１６２が配置された保持部材１６４と、を有している。
【００７４】
押圧部材１６２や保持部材１６４は、金属材料や樹脂材料等で形成することが可能である。また、付勢部材１６３は、例えば、弾性変形可能なバネ等で形成することが可能である。保持部材１６４および付勢部材１６３は、帯体２０の外面に固定している。
【００７５】
押圧部材１６２には、変形部材１４３の基端部１４３ｄを挿通させる挿通孔１６２ａが形成されている。また、保持部材１６４にも、変形部材１４３の基端部１４３ｄを挿通させる挿通孔１６４ａが形成されている。図６に示すように、付勢部材１６３は、押圧部材１６２に対して、押圧部材１６２を持ち上げる方向の付勢力を付与する。押圧部材１６２が持ち上げられた状態では、挿通孔１６２ａの位置と挿通孔１６４ａの位置が高さ方向にずれている。このため、各挿通孔１６２ａ、１６４ａに挿通された変形部材１４３の基端部１４３ｄは、押圧部材１６２と保持部材１６４とに挟まれて、移動が停止した状態となる。
【００７６】
図７に示すように、付勢部材１６３の付勢力に抗して押圧部材１６２を押し下げて、挿通孔１６２ａと挿通孔１６４ａを高さ方向に位置合わせすると、変形部材１４３の基端部１４３ｄのロックが解除される。ロックが解除されると、変形部材１４３が移動して、前述した実施形態と同様に、拡張部４０が拡張する。なお、拡張部４０を一旦拡張させた後、拡張部４０を収縮させる場合は、ロック部１６１によるロックを解除して、変形部材１４３の基端部１４３ｄを図７中の左側に向けて移動させる。
【００７７】
以上、変形例に係る止血器具１００によれば、変形部材１４３の基端部１４３ｄは、当該変形部材１４３の他の部位（巻き付け部）１４３ｂよりも弾性変形し難く形成されている。また、ロック部１６１は、変形部材１４３の基端部１４３ｄの固定および固定解除が可能なストッパーで構成している。このため、止血器具１００は、ロック部１６１を操作して、変形部材１４３の基端部１４３ｄの固定および固定解除をすることにより、拡張部４０を容易に拡張させることができる。
【００７８】
以上、実施形態および変形例を通じて本発明に係る止血器具を説明したが、本発明は説明した各構成のみに限定されるものでなく、特許請求の範囲の記載に基づいて適宜変更することが可能である。
【００７９】
例えば、止血器具を構成する各部は、同様の機能を発揮し得る任意の構成のものと置換することができる。また、任意の構成物が付加されていてもよい。
【００８０】
また、本発明は、手首に装着して使用する止血器具に限らず、脚等に装着して使用する止血器具にも適用することができる。
【００８１】
また、前述した実施形態では、止血器具は圧迫部を備えている場合を説明したが、圧迫部を備えていなくてもよい。
【００８２】
また、前述した実施形態および変形例では、変形部材を変形させることにより、拡張部４０の拡張と収縮の両方を実現可能に構成したが、変形部材は、少なくとも拡張部を拡張させるように構成されていればよい。
【００８３】
また、変形部材は、弾性変形により拡張部を拡張させることができれば、どのような形状で弾性部材の内腔に配置されていても構わない。例えば、変形部材は、実施形態で説明した巻回された形状以外の形状で弾性部材の内腔に配置されていてもよい。また、変形部材は、弾性部材の内腔で拡張した際の形状も特に限定されない。
【００８４】
また、変形部材の弾性変形を停止させるロック部は、変形部材の移動を規制することにより弾性変形を停止させる構成に限定されない。例えば、ロック部は、弾性部材の内腔で変形部材の弾性変形を直接停止させ、外部からの操作で停止状態を解除させることが可能に構成することができる。
【符号の説明】
【００８５】
１０  止血器具、
２０  帯体、
３０  面ファスナー（固定手段）、
４０  拡張部、
４１  弾性部材、
４１ａ  内腔、
４３  変形部材、
４３ａ  溝部、
４３ｂ  巻き付け部、
４３ｃ  延在部、
５０  圧迫部、
６０  操作部、
６１  本体部、
６２  溝部（ロック部）、
６３  把持部、
７０  カバー部材、
７０ａ  収容空間、
７０ｂ  挿通孔、
８１ａ  第１制御部（制御部）、
８１ｂ  第２制御部（制御部）、
９０  巻取部、
９１  支持部材、
１００  止血器具、
１４３  変形部材、
１４３ｂ  巻き付け部、
１４３ｄ  基端部、
１４３ｅ  凸部、
１６０  操作部、
１６１  ロック部（ストッパー）、
１６２  押圧部材、
１６２ａ  挿通孔、
１６３  付勢部材、
１６４  保持部材、
１６４ａ  挿通孔、
Ｗ  手首（肢体）、
Ｐ  穿刺部位（止血すべき部位）、
Ｒ  橈骨動脈。
【図１】
2018011798.tif 000003
【図２】
2018011798.tif 000004
【図３】
2018011798.tif 000005
【図４】
2018011798.tif 000006
【図５】
2018011798.tif 000007
【図６】
2018011798.tif 000008
【図７】
2018011798.tif 000009